(57)【要約】【課題】光学的なセンサーの読み取り結果に基づいて生成されるデータの状態を、当該データの用途に適したものとする。【解決手段】複合処理装置１は、読み取り対象の画像が記録された媒体に光を照射する発光部８７、および、この発光部８７が照射した光の反射光を受光する受光部８８を有するイメージセンサー８６と、イメージセンサー８６の出力に対して、所定の調整値に基づく調整を行い、Ａ／Ｄ変換を行なって所定階調値の画像データを出力するＣＩＳユニット制御回路８３と、第１の調整値、および、イメージセンサー８６の出力に対して、第１の調整値に基く調整を行なった場合にＣＩＳユニット制御回路８３が出力する画像データの明度よりも、明度が低くなるように調整を行なわせる第２の調整値を記憶する記憶部８５と、を備えている。【選択図】図５
2014204413.tif 000002
【特許請求の範囲】
【請求項１】
読み取り対象の画像が記録された媒体に光を照射する発光部、および、この発光部が照射した光の反射光を受光する受光部を有するセンサーと、
前記センサーの出力に対して、第１の調整値、または、第２の調整値に基づく調整を行い、Ａ／Ｄ変換を行なって所定階調値の画像データを出力する画像データ出力部と、
前記第１の調整値、および、前記センサーの出力に対して、前記第１の調整値に基く調整を行なった場合に前記画像データ出力部が出力する画像データの明度よりも、明度が低くなるように調整を行なわせる前記第２の調整値を記憶する記憶部と、
前記画像の読み取りに際し、使用する調整値を、前記第１の調整値、および、前記第２の調整値のいずれかに切替え可能な制御部と、を備えることを特徴とする画像読取装置。
【請求項２】
前記画像データ出力部は、
前記センサーの出力に対して、ゲイン調整値に基づいてゲイン調整すると共に、オフセット調整値に基づいてオフセット調整し、
前記第１の調整値は、第１のゲイン調整値と、第１のオフセット調整値のうち少なくとも一方であり、
前記第２の調整値は、
前記センサーの出力に対して、前記第１のゲイン調整値に基づいてゲイン調整した場合に前記画像データ出力部が出力する画像データの明度よりも、明度が低くなるようにゲイン調整をさせる第２のゲイン調整値と、
前記センサーの出力に対して、前記第１のオフセット調整値に基づいてオフセット調整した場合に前記画像データ出力部が出力する画像データの明度よりも、明度が低くなるようにオフセット調整させる第２のオフセット調整値のうち少なくとも一方である
ことを特徴とする請求項１に記載の画像読取装置。
【請求項３】
カラー読み取りと、白黒読み取りとが可能であり、
前記制御部は、
カラー読み取りする場合は、使用する調整値を前記第２の調整値に切替え、白黒読み取りする場合は、使用するゲイン調整値を前記第１の調整値に切替えることを特徴とする請求項１または２に記載の画像読取装置。
【請求項４】
温度を検出する温度センサーを備え、
前記制御部は、
前記温度センサーが検出した温度に基づいて、使用する調整値を、前記第１の調整値、および、前記第２の調整値のいずれかに切替えることを特徴とする請求項１ないし３のいずれかに記載の画像読取装置。
【請求項５】
前記記憶部には、
前記第１の調整値と、前記発光部が１画素の読み取り時に光を照射する時間である第１の照射時間との第１の組合せ、および、
前記第２の調整値と、第２の照射時間との第２の組合せ、が記憶され、
前記制御部は、
調整値と照射時間の組合せについて、前記第１の組合せ、および、前記第２の組合せのいずれかに切替え可能であることを特徴とする請求項１ないし４のいずれかに記載の画像読取装置。
【請求項６】
前記画像データ出力部の出力に対して、白基準値、および、黒基準値に基づいてシェーディング補正するシェーディング補正部を備え、
前記記憶部には、
前記第１の調整値に対応する第１の白基準値、および、第１の黒基準値と、
前記第２の調整値に対応する第２の白基準値、および、第２の黒基準値と、が記憶され、
前記制御部は、
使用するゲイン調整値に応じて、使用する白基準値、および、黒基準値を切替えることを特徴とする請求項１ないし５のいずれかに記載の画像読取装置。
【請求項７】
読み取り対象の画像が記録された媒体に光を照射する発光部、および、この発光部が照射した光の反射光を受光する受光部を有するセンサーと、
前記センサーの出力に対して、第１の調整値、または、第２の調整値に基づく調整を行い、Ａ／Ｄ変換を行なって所定階調値の画像データを出力する画像データ出力部と、を備える画像読取装置の制御方法であって、
前記第１の調整値、および、前記センサーの出力に対して、前記第１の調整値に基く調整を行なった場合に前記画像データ出力部が出力する画像データの明度よりも、明度が低くなるように調整を行なわせる前記第２の調整値を記憶し、
前記画像の読み取りに際し、使用する調整値を、前記第１の調整値、および、前記第２の調整値のいずれかに切替えることを特徴とする画像読取装置の制御方法。
【請求項８】
読み取り対象の画像が記録された媒体に光を照射する発光部、および、この発光部が照射した光の反射光を受光する受光部を有するセンサーと、
前記センサーの出力に対して、第１の調整値、または、第２の調整値に基づく調整を行い、Ａ／Ｄ変換を行なって所定階調値の画像データを出力する画像データ出力部と、を備える画像読取装置を制御する制御部により実行されるプログラムであって、
前記制御部に、
前記第１の調整値、および、前記センサーの出力に対して、前記第１の調整値に基く調整を行なった場合に前記画像データ出力部が出力する画像データの明度よりも、明度が低くなるように調整を行なわせる前記第２の調整値を記憶部に記憶させ、
前記画像の読み取りに際し、使用する調整値を、前記第１の調整値、および、前記第２の調整値のいずれかに切替えさせることを特徴とするプログラム。
【発明の詳細な説明】
【技術分野】
【０００１】
本発明は、媒体に記録された画像を読み取る画像読取装置、当該画像読取装置の制御方法、および、当該画像読取装置の制御に係るプログラムに関する。
【背景技術】
【０００２】
従来、小切手等の媒体を搬送すると共に、搬送中、媒体に記録された画像を光学的に読み取る媒体処理装置が知られている（例えば、特許文献１参照）。
【先行技術文献】
【特許文献】
【０００３】
【特許文献１】特開２００２−２５５３９３号公報
【発明の概要】
【発明が解決しようとする課題】
【０００４】
しかしながら、上述した媒体処理装置のように、媒体に記録された画像を光学的に読み取るものでは、読み取り結果に基づいて生成されるデータの状態を、当該データの用途に適したものとしたいとするニーズがある。
本発明は、上述した事情に鑑みてなされたものであり、光学的なセンサーの読み取り結果に基づいて生成されるデータの状態を、当該データの用途に適したものとすることを目的とする。
【課題を解決するための手段】
【０００５】
上記目的を達成するために、本発明は、読み取り対象の画像が記録された媒体に光を照射する発光部、および、この発光部が照射した光の反射光を受光する受光部を有するセンサーと、前記センサーの出力に対して、第１の調整値、または、第２の調整値に基づく調整を行い、Ａ／Ｄ変換を行なって所定階調値の画像データを出力する画像データ出力部と、前記第１の調整値、および、前記センサーの出力に対して、前記第１の調整値に基く調整を行なった場合に前記画像データ出力部が出力する画像データの明度よりも、明度が低くなるように調整を行なわせる前記第２の調整値を記憶する記憶部と、前記画像の読み取りに際し、使用する調整値を、前記第１の調整値、および、前記第２の調整値のいずれかに切替え可能な制御部と、を備えることを特徴とする。
この構成によれば、読取結果に基づいて生成されるデータの用途に応じて、調整値を切替えることによって、画像データ出力部が出力する画像データの明度を調整することが可能となり、光学的なセンサーの読み取り結果に基づいて生成されるデータの状態を、当該データの用途に適したものとすることが可能となる。
【０００６】
また、本発明は、前記画像データ出力部は、前記センサーの出力に対して、ゲイン調整値に基づいてゲイン調整すると共に、オフセット調整値に基づいてオフセット調整し、前記第１の調整値は、第１のゲイン調整値と、第１のオフセット調整値のうち少なくとも一方であり、前記第２の調整値は、前記センサーの出力に対して、前記第１のゲイン調整値に基づいてゲイン調整した場合に前記画像データ出力部が出力する画像データの明度よりも、明度が低くなるようにゲイン調整をさせる第２のゲイン調整値と、前記センサーの出力に対して、前記第１のオフセット調整値に基づいてオフセット調整した場合に前記画像データ出力部が出力する画像データの明度よりも、明度が低くなるようにオフセット調整させる第２のオフセット調整値のうち少なくとも一方であることを特徴とする。
この構成によれば、読取結果に基づいて生成されるデータの用途に応じて、ゲイン調整値、または、オフセット調整値を切替えることによって、画像データ出力部が出力する画像データの明度を調整することが可能となり、光学的なセンサーの読み取り結果に基づいて生成されるデータの状態を、当該データの用途に適したものとすることが可能となる。
【０００７】
また、本発明は、カラー読み取りと、白黒読み取りとが可能であり、前記制御部は、カラー読み取りする場合は、使用する調整値を前記第２の調整値に切替え、白黒読み取りする場合は、使用するゲイン調整値を前記第１の調整値に切替えることを特徴とする。
ここで、白黒読み取りとは、モノクロ読み取り、および、グレースケール読み取りを含む概念である。
また、カラー読み取りと、白黒読み取りとが可能な画像読取装置において、カラー読み取りが選択される場合は、例えば媒体に写真が記録されており、読み取り結果に基づいて生成されるデータを、後に、印刷したり、表示部に表示したりして使用する傾向がある。この場合、当該データに基づく画像の、いわゆる白飛びを抑制することが求められる。一方、白黒読み取りが選択される場合は、読み取り結果に基づいて生成されるデータに基づいて文字認識を行なう場合がある。この場合、当該データの明度を高くして、当該データに基づく文字に係る画像と、その他の画像とを明確に区別できるようにすることが求められる。
以上を踏まえ、上記構成によれば、カラー読み取りする場合は、使用するゲイン調整値が第２のゲイン調整値に切替えられ、白黒読み取りする場合は、使用するゲイン調整値が第１のゲイン調整値に切替えられるため、カラー読み取りか、白黒読み取りかによって想定される用途に応じて、光学的なセンサーの読み取り結果に基づいて生成されるデータの状態を、当該データの用途に適したものとすることが可能となる。
【０００８】
また、本発明は、温度を検出する温度センサーを備え、前記制御部は、前記温度センサーが検出した温度に基づいて、使用する調整値を、前記第１の調整値、および、前記第２の調整値のいずれかに切替えることを特徴とする。
ここで、センサー駆動時の環境温度が所定の温度よりも低い場合、読み取り結果に基づいて生成されるデータの明度が高くなり、当該データに基づく画像が白飛びする傾向がある。そして、上記構成によれば、センサー駆動時の環境温度に応じて、読み取り結果に基づいて生成されるデータの状態を適切なものとすることが可能となる。
【０００９】
また、本発明は、前記記憶部には、前記第１の調整値と、前記発光部が１画素の読み取り時に光を照射する時間である第１の照射時間との第１の組合せ、および、前記第２の調整値と、第２の照射時間との第２の組合せ、が記憶され、前記制御部は、調整値と照射時間の組合せについて、前記第１の組合せ、および、前記第２の組合せのいずれかに切替え可能であることを特徴とする。
この構成によれば、調整値と、センサーの発光部の照射時間との組合せを切替えることが可能となり、光学的なセンサーの読み取り結果に基づいて生成されるデータの状態を、当該データの用途により適したものとすることが可能となる。
【００１０】
また、本発明は、前記画像データ出力部の出力に対して、白基準値、および、黒基準値に基づいてシェーディング補正するシェーディング補正部を備え、前記記憶部には、前記第１の調整値に対応する第１の白基準値、および、第１の黒基準値と、前記第２の調整値に対応する第２の白基準値、および、第２の黒基準値と、が記憶され、前記制御部は、使用するゲイン調整値に応じて、使用する白基準値、および、黒基準値を切替えることを特徴とする。
この構成によれば、調整値に応じて、使用する白基準値、および、黒基準値が適切に切替えられるため、シェーディング補正を的確に行なうことができる。
【００１１】
また、上記目的を達成するために、本発明は、読み取り対象の画像が記録された媒体に光を照射する発光部、および、この発光部が照射した光の反射光を受光する受光部を有するセンサーと、前記センサーの出力に対して、第１の調整値、または、第２の調整値に基づく調整を行い、Ａ／Ｄ変換を行なって所定階調値の画像データを出力する画像データ出力部と、を備える画像読取装置の制御方法であって、前記第１の調整値、および、前記センサーの出力に対して、前記第１の調整値に基く調整を行なった場合に前記画像データ出力部が出力する画像データの明度よりも、明度が低くなるように調整を行なわせる前記第２の調整値を記憶し、前記画像の読み取りに際し、使用する調整値を、前記第１の調整値、および、前記第２の調整値のいずれかに切替えることを特徴とする。
この制御方法によれば、読取結果に基づいて生成されるデータの用途に応じて、調整値を切替えることによって、画像データ出力部が出力する画像データの明度を調整することが可能となり、光学的なセンサーの読み取り結果に基づいて生成されるデータの状態を、当該データの用途に適したものとすることが可能となる。
【００１２】
また、上記目的を達成するために、本発明は、読み取り対象の画像が記録された媒体に光を照射する発光部、および、この発光部が照射した光の反射光を受光する受光部を有するセンサーと、前記センサーの出力に対して、第１の調整値、または、第２の調整値に基づく調整を行い、Ａ／Ｄ変換を行なって所定階調値の画像データを出力する画像データ出力部と、を備える画像読取装置を制御する制御部により実行されるプログラムであって、前記制御部に、前記第１の調整値、および、前記センサーの出力に対して、前記第１の調整値に基く調整を行なった場合に前記画像データ出力部が出力する画像データの明度よりも、明度が低くなるように調整を行なわせる前記第２の調整値を記憶部に記憶させ、前記画像の読み取りに際し、使用する調整値を、前記第１の調整値、および、前記第２の調整値のいずれかに切替えさせることを特徴とする。
このプログラムを実行することにより、読取結果に基づいて生成されるデータの用途に応じて、調整値を切替えることによって、画像データ出力部が出力する画像データの明度を調整することが可能となり、光学的なセンサーの読み取り結果に基づいて生成されるデータの状態を、当該データの用途に適したものとすることが可能となる。
【発明の効果】
【００１３】
本発明によれば、光学的なセンサーの読み取り結果に基づいて生成されるデータの状態を、当該データの用途に適したものとすることができる。
【図面の簡単な説明】
【００１４】
【図１】本実施形態に係る複合処理装置の外観斜視図である。
【図２】本体の構成を示す平面図である。
【図３】複合処理装置の機能的構成を示すブロック図である。
【図４】複合処理装置の動作を示すフローチャートである。
【図５】光学的な画像の読み取りに関連する構成要素を模式的に示す図である。
【図６】複合処理装置の動作を示すフローチャートである。
【発明を実施するための形態】
【００１５】
以下、図面を参照して本発明の実施形態について説明する。
図１は、本実施形態に係る複合処理装置１（画像読取装置）の外観斜視図である。
複合処理装置１は、シート状の小切手４や帳票等の媒体に対し、媒体に記録された磁気インク文字の磁気的な読み取り、媒体に記録された画像の光学的な読み取り、および、当該媒体への画像の記録を行う機能を有する装置である。
また、複合処理装置１は、クレジットカード等のカード型の媒体に記録された磁気情報を読み取るリーダーとしての機能、および、感熱ロール紙に画像を記録して切断することにより、画像が記録された紙片を発行する機能を備えている。
【００１６】
本実施形態では、搬送路Ｗ（後述）を搬送される媒体として小切手４を処理する場合を例に挙げて説明する。
小切手４は、図１に示すように、所定の模様や装飾が施されたシートに金額、振出人、通し番号、サインなどが印字または記載された帳票である。これら金額、振出人、通し番号、サインなどは表面４ａにあり、裏面４ｂには裏書き欄が設けられている。この裏書き欄には、後述するインクジェットヘッド１０によって、裏書きに係る所定の画像が記録される。また、表面４ａには小切手４の長辺方向に延びる磁気インク文字列４ｃが形成されている。磁気インク文字列４ｃは、磁気インクで印刷された複数の磁気インク文字（ＭＩＣＲ文字）が並んだものであり、磁気的または光学的に読み取ることができる。小切手４の短辺方向および長辺方向のサイズは規格化されているものの、多様な規格が存在するため、実際には様々なサイズがある。複合処理装置１では、一般的な小切手４のサイズをほぼ包含し得る最大サイズを規定し、この最大サイズ内の小切手４であれば処理できる。
【００１７】
複合処理装置１は、本体下部を覆う下部ケース１１、および下部ケース１１に被せられるカバー１２からなる外装を有し、外装の内部に複合処理装置１の本体１３が収容されている。複合処理装置１の前面には、小切手４を挿入する挿入口１４が開口しており、挿入口１４の奥には複数の小切手４を積層して収納できるストッカー１５が設けられている。このストッカー１５は、前面側へ向かって引き出し自在に構成されており、ストッカー１５に収納すべき小切手４のサイズに応じてストッカー１５を引き出した上で、このストッカー１５に小切手４を収納させることが可能である。
また、カバー１２には、上面視で略Ｕ字形状に、小切手４の搬送路Ｗとなるスリット１８が形成されている。スリット１８は、上述したストッカー１５に連通すると共に、スリット１８は複合処理装置１の前面側に設けられたポケット１９に連通している。ストッカー１５に収納された小切手４は、後述するように１枚ずつ複合処理装置１の内部に取り込まれ、スリット１８を通る間に処理されて、処理後の小切手４はポケット１９に排出される。ポケット１９には複数の小切手４を収納することができる。
図１に示すように、ストッカー１５の側方には、磁気カードリーダーユニット２０が設けられている。磁気カードリーダーユニット２０は、カバー１２に形成されたカードスリット２１と、このカードスリット２１に対応して設けられたＭＣＲヘッド２２（図３）とを備え、カードスリット２１を通るカード類に磁気的に記録された情報をＭＣＲヘッド２２によって読み取る。
【００１８】
図２は、複合処理装置１の外装内部に収容されている本体１３の構成を示す平面図である。ストッカー１５の一側面にはホッパー２５が設けられている。このホッパー２５は、ホッパー駆動モーター２６（図３）により、図中矢印方向に回動可能に構成されており、ストッカー１５に貯留された小切手４を他方の側面側に付勢する。
ストッカー１５の他方の側面には、後述するＡＳＦ（Automatically Sheet Feeder）モーター２７（図３）により駆動されるピックアップローラー２８が配置されており、ホッパー２５がピックアップローラー２８側に回動すると、この回動に応じてストッカー１５内の小切手４のうち１枚がピックアップローラー２８に付勢され、当該ローラーに接触して、当該ローラーの回転に応じて搬送路Ｗに繰り出される。
ストッカー１５の奥には、一対のローラーで構成されるＡＳＦローラー２９が配置されている。ＡＳＦローラー２９の２つのローラーは、搬送路Ｗの両側に配置され、一方は後述するＡＳＦモーター２７の動力により回転し、他方のローラーは従動ローラーである。ピックアップローラー２８に接した小切手４はＡＳＦローラー２９に挟まれて、スリット１８内を下流側へ搬送される。
【００１９】
ストッカー１５の所定の位置には、ＡＳＦ用紙検出器３１（図３）が設けられている。ＡＳＦ用紙検出器３１は、例えば透過型光センサーで構成され、ストッカー１５における小切手４の有無を検出する。
また、ストッカー１５において、ホッパー２５の待機位置には、ホッパー位置検出器３２（図３）が設けられている。ホッパー位置検出器３２は、例えば透過型光センサーで構成され、ホッパー２５が待機位置に位置しているか否かを検出する。
ＡＳＦローラー２９の下流側には、小切手４の表面４ａに接して磁気インク文字列４ｃ（図１）を磁気的に読み取るＭＩＣＲ（Magnetic Ink Character Recognition）ヘッド３５が配置されている。ＭＩＣＲヘッド３５には、ＭＩＣＲローラー３６が対向配置される。ＭＩＣＲローラー３６はＭＩＣＲヘッド３５側に付勢されており、小切手４をＭＩＣＲヘッド３５に押しつけながら回転して、小切手４を、ＭＩＣＲ文字の読み取りに適した速度で搬送する。ＭＩＣＲヘッド３５の上流側には、ＡＳＦローラー２９により繰り出された小切手４をＭＩＣＲヘッド３５に案内する、一対のローラーからなるアシストローラー３７が配置されている。
【００２０】
また、搬送路Ｗ上においてアシストローラー３７とＭＩＣＲヘッド３５との間には、用紙長検出器３８が配置されている。用紙長検出器３８は、例えば反射型光センサーで構成され、搬送路Ｗ上を通る小切手４の検出位置における有無を検出することにより、小切手４の先端および後端を検出する。用紙長検出器３８の検出値は後述する制御部７０により取得され、この検出値の変化に基づいて小切手４の長さが求められる。
搬送路Ｗ上でＭＩＣＲヘッド３５の下流側には、搬送路Ｗを挟んで対向する一対のローラーを有する第１搬送ローラー４０が設けられ、さらに、この第１搬送ローラー４０の下流側には第２搬送ローラー４１が設けられている。これら第１搬送ローラー４０、および、第２搬送ローラー４１は、搬送モーター４２（図３）によって回転駆動されるローラーであり、これらローラーによって小切手４はインクジェットプリンターユニット４４へ搬送される。
【００２１】
インクジェットプリンターユニット４４は、インクジェットヘッド１０を備えている。インクジェットヘッド１０は、本体１３の前部に収容されているインクカートリッジ４５からインクの供給を受けて、小切手４にインクを吐出するインクジェット方式の記録ヘッドである。このインクジェットヘッド１０は、いわゆるラインインクジェットヘッドであり、小切手４に対する記録の際は、一定の速度で搬送される小切手４の裏面４ｂに対して、固定された状態のインクジェットヘッド１０からインクが吐出されて、画像が記録される。この小切手４の裏面４ｂに記録される画像は、いわゆる裏書きと呼ばれる文字や記号等である。
インクジェットヘッド１０の上流側であって、インクジェットヘッド１０と、第２搬送ローラー４１との間には、中間検出器４６（センサー）が設けられている。中間検出器４６は、例えば反射型光センサーで構成され、検出位置における小切手４の有無を検出する。
インクジェットヘッド１０の近傍には、複合処理装置１に係る環境温度を検出可能な温度センサー８０（図３）が設けられている。
【００２２】
インクジェットヘッド１０の下流には、小切手４を光学的に読み取るＣＩＳ（Contact Image Sensor）ユニットが配置されている。このＣＩＳユニットは、小切手４の表面４ａを読み取る表面ＣＩＳユニット４７と、裏面４ｂを読み取る裏面ＣＩＳユニット４８とを有し、小切手４の両面を光学的に読み取り可能である。また、表面ＣＩＳユニット４７、および、裏面ＣＩＳユニット４８のそれぞれは、カラー読み取り、および、グレースケール読み取り（白黒読み取り）のいずれも可能である。
表面ＣＩＳユニット４７と裏面ＣＩＳユニット４８は搬送路Ｗを挟んで対向配置されており、これらユニットの上流側には第１ＣＩＳローラー５０が配置され、また、下流側には第２ＣＩＳローラー５１が配置されている。これら第１ＣＩＳローラー５０、および、第２ＣＩＳローラー５１は、搬送モーター４２によって回転駆動されるローラーであり、これらローラーによってＣＩＳユニットによって読み取り中の小切手４が安定して搬送される。
図１、および、図２に示すように、表面ＣＩＳユニット４７、および、裏面ＣＩＳユニット４８との間に形成された搬送路Ｗに対応して、特別スリット８１が形成されている。
この特別スリット８１は、搬送路Ｗを搬送させることなく、媒体を光学的に読み取る場合に、媒体を通過させるスリットである。例えば、本人確認のために、免許証の表面、および／または、裏面を光学的に読み取る場合、この特別スリット８１を通過させて、読み取りが行なわれる。
第２ＣＩＳローラー５１の下流には、排出検出器５２が設けられている。排出検出器５２は、例えば反射型光センサーで構成され、検出位置における小切手４の有無を検出する。
【００２３】
表面ＣＩＳユニット４７、裏面ＣＩＳユニット４８の下流側には上述したポケット１９が設けられている。ポケット１９は、メインポケット１９ａと、サブポケット１９ｂとに区画されており、スリット１８が分岐して、それぞれのポケット１９に連通している。これらメインポケット１９ａ、および、サブポケット１９ｂには、それぞれ複数の小切手４を収納できる。
そして、スリット１８が分岐した位置には、小切手４を排出すべきポケット１９を、メインポケット１９ａとサブポケット１９ｂとのいずれかに切り替える切替板５４が配置されている。切替板５４は、メインポケット１９ａに連通する経路とサブポケット１９ｂに連通する経路のいずれか一方を塞ぐことで小切手４を他方に案内するガイドであり、切替板駆動モーター５５によって駆動される。切替板５４からメインポケット１９ａに繋がる経路には排出ローラー５６が設けられ、また、切替板５４からサブポケット１９ｂに繋がる経路には排出ローラー５７が設けられており、小切手４は、これらローラーにより切替板５４に案内されたいずれかのポケット１９にスムーズに排出される。
後述するように、複合処理装置１は、ＭＩＣＲヘッド３５による磁気インク文字列４ｃの読み取り結果に基づいて、小切手４が正しくセットされていると判別した場合は、小切手４をメインポケット１９ａに排出し、一方、小切手４が正しくセットされていないと判別した場合は、サブポケット１９ｂに排出する。
【００２４】
また、図１および図２に示すように、複合処理装置１の中央部には、画像が記録された紙片を発行するサーマルプリンターユニット６０が設けられている。
図１に示すように、サーマルプリンターユニット６０は、ユニット本体の上部を覆うプリンターカバー６１を備えている。このプリンターカバー６１は、カバー１２に対して開閉自在に取り付けられており、プリンターカバー６１を開くと、感熱ロール紙を収容可能な空間であるロール紙収容部６２（図２）が露出し、感熱ロール紙の補充や交換が可能となる。プリンターカバー６１には、排紙口６３が形成されており、ロール紙収容部６２に収容された感熱ロール紙は、排紙口６３を介して、排出される。
サーマルプリンターユニット６０は、ロール紙収容部６２に収容した感熱ロール紙を繰り出して搬送路上を搬送させるローラー状のプラテン（不図示）と、プラテンに対向配置されたサーマルヘッド６５（図３）と、搬送方向に対し直交する方向に感熱ロール紙を切断するカッターユニット６６とを備えている。紙片の発行に際し、サーマルプリンターユニット６０は、プラテンを駆動して感熱ロール紙を搬送方向に搬送しつつ、サーマルヘッド６５により感熱ロール紙に画像を記録し、カッターユニット６６によって所定の位置で感熱ロール紙を切断することにより、紙片を発行する。
【００２５】
図３は、複合処理装置１の機能的構成を示すブロック図である。
図３に示すように、複合処理装置１は、複合処理装置１全体を制御するＣＰＵ、ＲＡＭ、フラッシュＲＯＭ等により構成される制御部７０と、インクジェットプリンターユニット４４およびサーマルプリンターユニット６０を制御するプリンター制御部７１と、ヘッド駆動回路７２と、モータードライバー７３と、読取制御回路７４と、ＣＩＳユニット制御回路８３（画像データ出力部）と、センサー駆動回路７５と、記憶部８５と、インターフェイス部７６と、を有し、これらの各部は相互に通信可能に接続されている。
【００２６】
制御部７０は、フラッシュＲＯＭに記憶されている制御プログラムをＣＰＵにより読み出して実行することにより、複合処理装置１の各部を制御する。
プリンター制御部７１は、制御部７０の制御の下、ヘッド駆動回路７２を介してインクジェットヘッド１０に駆動電流を供給し、小切手４に画像への記録を行う。
また、プリンター制御部７１は、制御部７０の制御の下、ヘッド駆動回路７２を介してサーマルヘッド６５に駆動電流を供給し、感熱ロール紙への記録を行う。
モータードライバー７３は、ホッパー駆動モーター２６に接続され、制御部７０の制御に従ってホッパー２５を回動させる。また、モータードライバー７３は、ＡＳＦモーター２７、および、搬送モーター４２に接続され、制御部７０の制御の下、これらモーターに駆動電流や駆動パルスを出力して、これらモーターを動作させ、これらモーターに接続された各種ローラーを駆動する。また、モータードライバー７３は、切替板駆動モーター５５に接続され、制御部７０の制御の下、当該モーターに駆動電流や駆動パルスを出力して、当該モーターを駆動して、切替板５４を、メインポケット１９ａ側、または、サブポケット１９ｂ側に切り替える。
【００２７】
読取制御回路７４は、ＭＣＲヘッド２２、ＭＩＣＲヘッド３５、表面ＣＩＳユニット４７（読取部）、および、裏面ＣＩＳユニット４８（読取部）に接続されている。読取制御回路７４は、制御部７０の制御に従って、カードスリット２１（図１）にカード類が通される際にＭＣＲヘッド２２によって磁気情報を読み取らせ、ＭＣＲヘッド２２が出力する読取信号をデジタル化して制御部７０に出力する。同様に、読取制御回路７４は、制御部７０の制御に従ってＭＩＣＲヘッド３５によって磁気情報を読み取らせ、ＭＩＣＲヘッド３５が出力する読取信号をデジタル化して制御部７０に出力する。
ＣＩＳユニット制御回路８３（画像データ出力部）は、表面ＣＩＳユニット４７、および、裏面ＣＩＳユニット４８の読み取り結果に基づいて、読取画像データを生成し、制御部７０に出力する。このＣＩＳユニット制御回路８３については、後に詳述する。
センサー駆動回路７５は、ＡＳＦ用紙検出器３１、ホッパー位置検出器３２、用紙長検出器３８、中間検出器４６、排出検出器５２、および、温度センサー８０に接続され、これらの各検出器に電流を供給して、所定周期で出力値を取得し、取得した出力値をデジタルデータに変換して制御部７０に出力する。
記憶部８５は、ＥＥＰＲＯＭ等の不揮発性メモリーを備え、各種データを不揮発的に書き換え可能に記憶する。
インターフェイス部７６は、ホストコンピューター５に対して有線または無線で接続され、制御部７０の制御に従って、ホストコンピューター５との間で通信する。
このホストコンピューター５は、インストールされたデバイスドライバーの機能により、適宜、複合処理装置１に制御コマンドを送信して、複合処理装置１を制御する。
【００２８】
次いで、小切手４を処理する際の複合処理装置１の基本的な動作について説明する。
上述したように、ストッカー１５には、複数枚の小切手４を収納可能である。そして、本実施形態に係る複合処理装置１は、ストッカー１５に収納された複数の小切手４について、所定のタイミングで、順次、搬送路Ｗ上に繰り出し、以下で説明する一連の処理を、各小切手４について連続して実行可能である。
【００２９】
図４は、ある１枚の小切手４に対して実行される一連の処理を示すフローチャートである。
以下の説明の前提として、ホストコンピューター５から複合処理装置１に対して、下記の一連の処理を実行させるための制御コマンドが適切なタイミングで出力されるものとし、複合処理装置１の制御部７０は、制御コマンドを読み出して実行することにより、下記の一連の処理を順次実行するものとする。
図４に示すように、複合処理装置１の制御部７０は、ホストコンピューター５から小切手４の処理開始を指示するコマンドを受信すると（ステップＳＡ１）、ホッパー位置検出器３２の検出値や、ＡＳＦ用紙検出器３１の検出値を監視しつつ、ホッパー駆動モーター２６や、ＡＳＦモーター２７を駆動して、ストッカー１５に収納された小切手４のうち１枚を搬送路Ｗに繰り出して、小切手４の搬送を開始する（ステップＳＡ２）。この制御部７０の機能は、ＣＰＵがファームウェアを読み出して実行する等、ハードウェアとソフトウェアとの協働により実現される。
次いで、制御部７０は、用紙長検出器３８の検出値を監視することにより小切手４の位置を管理しつつ、ＭＩＣＲヘッド３５によって、小切手４の磁気インク文字列４ｃを読み取る（ステップＳＡ３）。
次いで、制御部７０は、ＭＩＣＲヘッド３５の読み取り結果に基づいて、小切手４が上下裏表逆にセットされることなく、正しくセットされているか否かを判別する（ステップＳＡ４）。詳細には、制御部７０は、磁気インク文字列４ｃを構成する磁気インク文字について、磁気インク文字を読み取って得られる検出波形と、基準波形との比較による磁気インク文字認識を行って、磁気インク文字認識の成否により、小切手４が正しくセットされているか否かを判別する。
次いで、制御部７０は、ステップＳＡ４の判別結果に基づいて、切替板駆動モーター５５を駆動して、切替板５４を切り替える（ステップＳＡ５）。すなわち、制御部７０は、小切手４が正しくセットされている場合は、切替板５４をメインポケット１９ａ側に切り替え、一方、小切手４が正しくセットされていない場合は、切替板５４をサブポケット１９ｂ側に切り替える。なお、ステップＳＡ４、ＳＡ５の処理を、以下のステップＳＡ６、ＳＡ７の処理と並行して行うようにしてもよい。
【００３０】
次いで、制御部７０は、中間検出器４６の検出値を監視することにより小切手４の位置を監視しつつ、搬送モーター４２の駆動により各種モーターを駆動して小切手４を搬送し、インクジェットヘッド１０により、小切手４の裏面４ｂに所定の画像を記録する（ステップＳＡ６）。なお、小切手４が正しくセットされていない場合は、ステップＳＡ６において、画像の記録は行なわれない。
次いで、制御部７０は、表面ＣＩＳユニット４７によって小切手４の表面４ａをスキャンすると共に、裏面ＣＩＳユニット４８によって裏面４ｂをスキャンし、スキャン結果をホストコンピューター５に出力する（ステップＳＡ７）。なお、小切手４が正しくセットされていない場合は、ステップＳＡ７において、スキャンを行わない。
次いで、制御部７０は、排出検出器５２の検出値を監視することにより小切手４が正常に排紙されたか否かを監視しつつ、搬送モーター４２を駆動することにより各種モーターを駆動して小切手４をポケット１９に排出する（ステップＳＡ８）。その際、小切手４は、切替板５４に導かれてメインポケット１９ａ、サブポケット１９ｂのうちＭＩＣＲヘッド３５の読み取り結果に応じた適切なポケット１９に排出される。
【００３１】
次に、複合処理装置１による光学的な画像の読み取りについて詳述する。
図５は、光学的な画像の読み取りに関連する構成要素を模式的に示す図である。以下、説明の便宜のため、表面ＣＩＳユニット４７によって媒体を読み取る場合を例として説明する。
図５を参照し、表面ＣＩＳユニット４７は、イメージセンサー８６（センサー）を備えており、イメージセンサー８６は、発光部８７と、受光部８８とを備えている。発光部８７は、ＬＥＤ等の発光素子を含んで構成され、読み取り対象の画像が記録された媒体に対して光を照射する。受光部８８は、受光素子を含んで構成され、発光部８７が媒体に照射した光の反射光を受光し、アナログデータとしての画像信号を出力する。以下の説明では、画像信号と表現する場合、原則的に、１画素分の画像信号を意味するものとする。
イメージセンサー８６は、搬送路Ｗにおける小切手４の搬送方向と直交する方向に、複数個（例えば、１２９６個）並んで配置されている。
本実施形態では、表面ＣＩＳユニット４７は、カラー読み取り、グレースケール読み取り、および、モノクロ読み取りが可能な構成となっている。この構成を実現すべく、イメージセンサー８６ごとに、１つの受光部８８に対して、赤色に係る発光部８７、緑色に係る発光部８７、青色に係る発光部８７の３つの発光部８７が設けられている。そして、カラー読み取りにおいて、１つのイメージセンサー８６によって１画素分の読み取りを行なう場合、各色の発光部８７が、色ごとに設定された照射時間の間、所定の順番で交互に、光を照射する。また、グレースケール読み取り、および、モノクロ読み取りにおいて、１つのイメージセンサー８６によって１画素分の読み取りを行なう場合、各色の発光部８７が同時に、設定された照射時間の間、光を照射する。
図５では、１つのイメージセンサー８６を図示すると共に、このイメージセンサー８６において、受光部８８と、１つの色の発光部８７を図示している。
【００３２】
ＣＩＳユニット制御回路８３（画像データ出力部）は、オフセット調整部９０と、ゲイン調整部９１と、Ａ／Ｄ変換部９２と、光源駆動回路９３とを備えている。
オフセット調整部９０は、イメージセンサー８６の有効な出力レンジの最小値が、Ａ／Ｄ変換部９２の入力レンジの最小値と対応するように、入力に対してオフセット調整を行なう。より詳細には、オフセット調整部９０は、例えばオペアンプを含んで構成され、オフセット調整値レジスター９５にセットされたオフセット調整値に基づいて、受光部８８から入力された画像信号についてオフセット調整し、ゲイン調整部９１に出力する。制御部７０は、後述する手段によって、オフセット調整値レジスター９５にオフセット調整値をセットする。
ゲイン調整部９１は、イメージセンサー８６の有効な出力レンジの最大値が、Ａ／Ｄ変換部９２の入力レンジの最大値と対応するようにゲイン調整を行なう。より詳細には、ゲイン調整部９１は、例えばプログラマブルゲインアンプを含んで構成され、ゲイン調整値レジスター９６にセットされたゲイン調整値に基づいて、オフセット調整部９０から入力された画像信号についてゲイン調整し、Ａ／Ｄ変換部９２に出力する。制御部７０は、後述する手段によって、ゲイン調整値レジスター９６にゲイン調整値をセットする。
Ａ／Ｄ変換部９２は、ゲイン調整部９１から入力されたアナログ信号（増幅後の画像信号）を所定階調値のデジタルデータたる画像データに変換し、制御部７０に出力する。以下の説明では、画像データと表現する場合、原則的に、１画素分の画像データ（所定階調値のデジタルデータ）を意味するものとする。
光源駆動回路９３は、制御部７０の制御の下、発光部８７による光の照射を制御する。すなわち、制御部７０は、光源駆動回路９３を制御して、１画素の読み取りにあたり、所定の照射時間だけ、発光部８７に光を照射させる。
【００３３】
制御部７０は、機能ブロックとしてデジタルデータ処理部７０ａを備えている。デジタルデータ処理部７０ａは、コントラスト補正や、ブライトネス補正等の画像処理を行なう機能を有している。また、デジタルデータ処理部７０ａは、シェーディング補正部７０ｂを備えている。シェーディング補正部７０ｂは、入力された画像データについて、白基準値、および、黒基準値に基づいて、シェーディング補正を行なう。
デジタルデータ処理部７０ａによって画像処理が施された画像データは、順次、スキャナーバッファーに一時記憶され、適切なタイミングで読み出され、例えば、ホストコンピューター５に送信される。
【００３４】
ここで、本実施形態では、オフセット調整値、ゲイン調整値、照射時間、白基準値、および、黒基準値の組合せについて、第１組合せ、および、第２組合せの２つの組合せが事前に用意され、記憶部８５に記憶される。照射時間とは、発光部８７による１画素の読み取り時に光を照射する時間のことである。以下、オフセット調整値、ゲイン調整値、照射時間、白基準値、および、黒基準値のそれぞれについて、これらを総称して、パラメーターと表現することがあるものとする。
第１の組合せは、第１オフセット調整値、第１ゲイン調整値、第１照射時間、第１白基準値、および、第１黒基準値の組合せによって構成されている。また、第２の組合せは、第２オフセット調整値、第２ゲイン調整値、第２照射時間、第２白基準値、および、第２黒基準値の組合せによって構成されている。
なお、第１組合せ、および、第２組合せは、カラー読み取り用、モノクロ読み取り用、および、グレースケール読み取り用のそれぞれについて、各イメージセンサーの各色の発光部８７ごとに用意され、記憶部８５に記憶される。
後に詳述するが、制御部７０は、表面ＣＩＳユニット４７による画像の読み取りに際し、所定の判別を行なって、第１組合せに係る各パラメーターを使用するのか、第２組合せに係る各パラメーターを使用するのかを切替える構成となっている。
以下、まず、第１組合せ、および、第２組合せの各パラメーターの値がどのようにして決定されるのかについて説明し、その後、制御部７０による第１組合せ、および、第２組合せの切替えに係る処理について説明する。
【００３５】
＜第１の組合せの決定について＞
第１の組合せに係る各パラメーターは、以下のようにして決定される。
以下の説明では、Ａ／Ｄ変換部９２が出力する画像データの階調値は、２５６階調の０〜２５５階調値であるものとする。
また、以下の説明では、ある１つのイメージセンサー８６が有する１の色の発光部８７について、第１の組合せに係るパラメーターを決定するものとする。
まず、当該１の色に対応するキャリブレーション用紙が適切に搬送路Ｗを搬送され、読み取られる。このキャリブレーション用紙は、読み取り面における光の反射率が高く、当該用紙の読み取り結果に基づく画像データの階調値が、最大階調に対応する値（２５５）となるような用紙である。
次いで、キャリブレーション用紙の読み取り結果に基づいてＡ／Ｄ変換部９２が出力する画像データの階調値が、２４０〜２５０になるように、オフセット調整値、および、ゲイン調整値、および、発光部８７の照射時間が設定される。これら３つのパラメーターの設定は、例えば、Ａ／Ｄ変換部９２が出力する画像データの階調値を１つの変数とする事前に定められた関係式に基づいて行なわれもよい。また例えば、キャリブレーション用紙の読み取りと、上記３つのパラメーターの設定とを繰り返して行なって調整することにより、これら３つのパラメーターを設定するようにしてもよい。
ここで設定されたオフセット調整値、および、ゲイン調整値、および、照射時間が、それぞれ、第１オフセット調整値、第１ゲイン調整値、および、第１照射時間に該当する。これらパラメーターの特徴は、後述する第２オフセット調整値、第２ゲイン調整値、および、第２照射時間を使用して、画像の読み取りを行なった場合と比較して、出力される画像データの明度が高い（階調値が大きい）ことである。
【００３６】
さらに、設定された第１オフセット調整値、第１ゲイン調整値、および、第１照射時間を使用して読み取りを行なった場合に、Ａ／Ｄ変換部９２が出力する画像データの階調値を踏まえて、シェーディング補正に使用する白基準値、黒基準値が設定される。ここで設定された白基準値、および、黒基準値が、第１白基準値、および、第１黒基準値である。上述したように、キャリブレーション用紙の読み取り結果に基づいてＡ／Ｄ変換部９２が出力する画像データの階調値が、２４０〜２５０になるように各パラメーターが調整されているため、第１白基準値の値は、基本的に２４０〜２５０の範囲となる。
このようにして、第１の組合せに係る各パラメーターを設定した後、記憶部８５に、画素を識別する情報（どのイメージセンサー８６のどの色の画素かを示す情報）と、各パラメーターとが対応付けて記憶される。
以上のような方法で、全てのイメージセンサー８６について、色ごとに、第１の組合せに係る各パラメーターが設定され、イメージセンサー８６の識別情報と対応付けて記憶部８５に記憶される。
【００３７】
＜第２の組合せの決定について＞
第２の組合せに係る各パラメーターは、以下のようにして決定される。
まず、上述したキャリブレーション用紙の読み取りが行なわれる。次いで、キャリブレーション用紙の読み取り結果に基づいてＡ／Ｄ変換部９２が出力する画像データの階調値が、１９６〜２１６になるように、オフセット調整値、および、ゲイン調整値、および、発光部８７の照射時間が設定される。ここで設定されたオフセット調整値、および、ゲイン調整値、および、照射時間が、それぞれ、第２オフセット調整値、第２ゲイン調整値、および、第２照射時間に該当する。これらパラメーターの特徴は、上述した第１オフセット調整値、第１ゲイン調整値、および、第１照射時間を使用して、画像の読み取りを行なった場合と比較して、出力される画像データの明度が低い（階調値が小さい）ことである。
さらに、設定された第２オフセット調整値、第２ゲイン調整値、および、第２照射時間を使用して読み取りを行なった場合に、Ａ／Ｄ変換部９２が出力する画像データの階調値を踏まえて、シェーディング補正に使用する白基準値、黒基準値が設定される。ここで設定された白基準値、および、黒基準値が、第２白基準値、および、第２黒基準値である。上述したように、キャリブレーション用紙の読み取り結果に基づいてＡ／Ｄ変換部９２が出力する画像データの階調値が、１９６〜２１６になるように各パラメーターが調整されているため、第２白基準値の値は、基本的に１９６〜２１６の範囲となる。
このようにして、第２の組合せに係る各パラメーターを設定した後、記憶部８５に、画素を識別する情報（どのイメージセンサー８６のどの色の画素かを示す情報）と、各パラメーターとが対応付けて記憶される。
以上のような方法で、全てのイメージセンサー８６について、色ごとに、第２の組合せに係る各パラメーターが設定され、イメージセンサー８６の識別情報と対応付けて記憶部８５に記憶される。
なお、第１、第２の組合せに係る各パラメーターの設定、および、記憶部８５への記憶は、原則として、製品としての複合処理装置１の出荷前の製造段階で行なわれる。
【００３８】
次に、表面ＣＩＳユニット４７による画像の読み取り時における複合処理装置１の動作について、図６のフローチャートを用いて説明する。裏面ＣＩＳユニット４８で読み取る場合も同様の処理が行なわれる。
図６を参照し、複合処理装置１の制御部７０は、ホストコンピューター５から、表面ＣＩＳユニット４７による画像の読み取りの実行を指示する制御コマンドが入力されたか否かを監視する（ステップＳＢ１）。当該制御コマンドは、搬送路Ｗを搬送される媒体（小切手４）の画像を読み取る場合であっても、特別スリット８１を搬送される媒体の画像を読み取る場合であっても、適切なタイミングで適切な内容のものがホストコンピューター５から入力される。なお、制御コマンドには、カラー読み取り、グレースケール読み取り、および、モノクロ読み取りのいずれを実行すべきかを示す情報が含まれている。
制御コマンドの入力があった場合（ステップＳＢ１：ＹＥＳ）、制御部７０は、制御コマンドにおいてカラー読み取りが指示されているのか、または、「グレースケール読み取りおよびモノクロ読み取りのいずれかが指示されているのか」を判別する（ステップＳＢ２）。
【００３９】
グレースケール読み取り、および、モノクロ読み取りのいずれかが指示されている場合（ステップＳＢ２：「グレースケール／モノクロ」）、制御部７０は、処理手順をステップＳＢ３へ移行する。
ここで、本実施形態に係る複合処理装置１について、ユーザーが、グレースケール読み取り、または、モノクロ読み取りを指示する場合について考える。
ところで、本実施形態に係る複合処理装置１は、ホストコンピューター５と協働して、小切手４の表面４ａの読み取り結果に基づいて生成されるデータに基づいて、表面４ａに記録された磁気インク文字列４ｃの光学的文字認識を実行可能な構成となっている。以下、媒体の読み取り結果に基づいて生成されるデータ（媒体の読み取り面を表わす画像データ）を、「読取画像データ」という。一例を挙げて文字認識を行なう場合の複合処理装置１、および、ホストコンピューター５の動作について説明する。例えば、動作モードが所定のモードである場合、複合処理装置１は、表面ＣＩＳユニット４７によって、小切手４の表面４ａを読み取った後、読取画像データを、ホストコンピューター５に送信する。ホストコンピューター５は、読取画像データを分析し、磁気インク文字列４ｃの画像について、パターンマッチングを利用した既存の文字認識を実行する。そして、ホストコンピューター５は、文字認識の成功／失敗について、複合処理装置１に通知する。複合処理装置１の制御部７０は、文字認識が成功している場合は、切替板５４をメインポケット１９ａ側に切替え、また、文字認識が失敗している場合は、切替板５４をサブポケット１９ｂ側に切替える。
【００４０】
そして、ユーザーが、グレースケール読み取り、または、モノクロ読み取りを指示する場合、複数枚の小切手４について、光学的文字認識を行ないつつ、連続的に処理することを要求していることが想定される。なお、この場合、小切手４の表面４ａに係る読取画像データは、光学的文字認識にのみ利用される。上記想定の理由は以下である。すなわち、カラー読み取りを行なった場合と、白黒読み取り（グレースケール読み取り、モノクロ読み取り）を行なった場合とでは、文字認識の精度にほとんど差は無い一方、カラー読み取りを行なった場合、１枚の小切手４の処理に要する時間の長時間化を招き、結果として、全ての小切手４の処理が完了する時間の遅延を招く。従って、読取画像データを光学的文字認識に利用する場合は、文字認識の精度を維持しつつ、処理の迅速な完了を求めて、カラー読み取り以外の形式による読み取りを指示すると考えられる。
そして、読取画像データを光学的文字認識に利用する場合は、できるだけ、読取画像データの明度を上げて、当該データにおける文字に係る画像と、その他の画像とを明確に区別させ、文字認識の精度を上げることが求められる。
以上を踏まえ、ステップＳＢ３において、制御部７０は、画像の読み取り時に使用するパラメーターについて、第１の組合せに係るパラメーターとする。
次いで、制御部７０は、第１の組合せに係る各パラメーターを使用して、媒体の画像の読み取りを実行する（ステップＳＢ４）。すなわち、制御部７０は、イメージセンサー８６による１画素の読み取りに際し、第１照射時間分、発光部８７に光を照射させて読み取りを実行する。また、制御部７０は、オフセット調整値レジスター９５に、第１オフセット値をセットし、第１オフセット調整値に基づくオフセット調整を行なわせる。また、制御部７０は、ゲイン調整値レジスター９６に第１ゲイン調整値をセットし、第１ゲイン調整値に基づくゲイン調整を行なわせる。また、制御部７０のシェーディング補正部７０ｂは、第１白基準値と、第１黒基準値に基づいて、シェーディング補正を行なう。
次いで、制御部７０は、処理手順をステップＳＢ１へ戻す。
【００４１】
このように、本実施形態では、グレースケール読み取り、または、モノクロ読み取りが指示された場合、換言すれば、光学的文字認識が行なわれる可能性が十分に高い場合、画像の読み取りに際して、第１の組合せに係るパラメーターが使用される。これにより、Ａ／Ｄ変換部９２が出力する画像データの明度、すなわち、読取画像データの明度が高くなり、読取画像データを光学的文字認識に適したものとすることができる。
【００４２】
一方で、ステップＳＢ２において、カラー読み取りが指示されている場合（ステップＳＢ２：「カラー」）、制御部７０は、処理手順をステップＳＢ５へ移行する。
ステップＳＢ５において、制御部７０は、温度センサー８０の検出値に基づいて、環境温度を取得する。次いで、制御部７０は、取得した環境温度が、予め定められた所定の温度Ｔ１以上であるか否かを判別する（ステップＳＢ６）。
ここで、ＣＩＳタイプのイメージスキャナーには、環境温度が所定の温度より低いと（おおむね１５℃以下）、Ａ／Ｄ変換部９２が出力する画像データの明度が高くなりすぎてしまい、その結果、読取画像データに基づく画像が白飛びする場合がある、という課題がある。逆に、環境温度が所定の温度より高い場合、画像データの明度が高くなることが抑制され、読取画像データに基づく画像の白飛びが抑制される傾向にある。
これを踏まえ、本実施形態では、環境温度が温度Ｔ１（例えば、１５℃）以上である場合（ステップＳＢ６：ＹＥＳ）、制御部７０は、処理手順をステップＳＢ３へ移行し、第１の組合せに係る各パラメーターを利用して、画像の読み取りを行なう。これにより、環境温度の状態を踏まえて、不必要に読取画像データの明度を抑制することなく、画像の読み取りを実行している。
なお、温度Ｔ１は、読取画像データに基づく画像の白飛びを防止すべく、画像データの明度を抑制する必要があるか否かを判断するための基準値、という観点から適切な値が設定される。
【００４３】
一方で、環境温度が温度Ｔ１以上ではない場合（ステップＳＢ６：ＮＯ）、制御部７０は、画像の読み取り時に使用するパラメーターについて、第２の組合せに係るパラメーターとする（ステップＳＢ７）。
ここで、本実施形態に係る複合処理装置１について、ユーザーがカラー読み取りを指示する場合について考える。この場合、例えば、特別スリット８１を利用して、写真付きの免許証や、写真付きの本人確認証明書等を読み取る場合があることが想定される。なぜなら、読み取り結果に基づいて生成されるデータ（読取画像データ）は、後に本人確認に利用される可能性があるため、できるだけ鮮明であり、本人確認に有効な状態であることが求められ、カラー読み取りが適切だからである。このように、カラー読み取りが指示されている場合は、人間の画像を読み取る可能性があるため、人の肌が白飛びしないことが求められる。また、白飛びに起因して人間の画像と背景の画像との区別が明確でなくなってしまわないようにすることが求められる。
この他、カラー読み取りが指示される場合、読取画像データを記憶しておき、後に、印刷したり、所定の表示部に表示したりする傾向があるが、この場合も、できるだけ白飛びを押さえて、画像の鮮明さ綺麗さを保持することが求められる。
これを踏まえ、本実施形態では、カラー読み取りが選択された場合であって、環境温度が温度Ｔ１を下回る場合、制御部７０は、ステップＳＢ７で、第２の組合せに係る各パラメーターを、画像の読み取りに使用するパラメーターとして決定する。これにより、Ａ／Ｄ変換部９２が出力する画像データの明度が抑制され、その結果、読取画像データに基づく画像の白飛びが抑制される。
【００４４】
次いで、制御部７０は、第２の組合せに係る各パラメーターを使用して、媒体の画像の読み取りを実行する（ステップＳＢ８）。すなわち、制御部７０は、イメージセンサー８６による１画素の読み取りに際し、第２照射時間分、発光部８７に光を照射させて読み取りを実行する。また、制御部７０は、オフセット調整値レジスター９５に、第２オフセット値をセットし、第２オフセット調整値に基づくオフセット調整を行なわせる。また、制御部７０は、ゲイン調整値レジスター９６に第２ゲイン調整値をセットし、第２ゲイン調整値に基づくゲイン調整を行なわせる。また、制御部７０のシェーディング補正部７０ｂは、第２白基準値と、第２黒基準値に基づいて、シェーディング補正を行なう。なお、制御部７０のシェーディング補正部７０ｂは、シェーディング補正に際し、第２白基準値については、１００／８５倍した上で使用する。これは、シェーディング補正に際して、画像データの階調値を有効に利用すべく、画像データの階調値を伸張する補正を行なうため、第２白基準値をそのまま利用して、シェーディング補正を実行すると、読取画像データに基づく画像の白飛びを誘発するからである。
【００４５】
以上説明したように、本実施形態によれば、複合処理装置１（画像読取装置）は、読み取り対象の画像が記録された媒体に光を照射する発光部８７、および、この発光部８７が照射した光の反射光を受光する受光部８８を有するイメージセンサー８６と、イメージセンサー８６の出力に対して、所定の調整値に基づく調整を行い、Ａ／Ｄ変換を行なって所定階調値の画像データを出力するＣＩＳユニット制御回路８３（画像データ出力部）と、第１の調整値（第１オフセット調整値、第１ゲイン調整値）、および、イメージセンサー８６の出力に対して、第１の調整値に基く調整を行なった場合にＣＩＳユニット制御回路８３が出力する画像データの明度よりも、明度が低くなるように調整を行なわせる第２の調整値（第２オフセット調整値、第２ゲイン調整値）を記憶する記憶部８５と、を備えている。
そして、制御部７０は、使用する調整値を、第１の調整値、および、第２の調整値のいずれかに切替え可能である。
この構成によれば、読取結果に基づいて生成されるデータ（読取画像データ）の用途に応じて、調整値を切替えることによって、画像データ出力部が出力する画像データの明度を調整することが可能となり、光学的なセンサーの読み取り結果に基づいて生成されるデータの状態を、当該データの用途に適したものとすることが可能となる。
【００４６】
また、本実施形態では、ＣＩＳユニット制御回路８３（画像データ出力部）は、イメージセンサー８６の出力に対して、ゲイン調整値に基づいてゲイン調整すると共に、オフセット調整値に基づいてオフセット調整する。
そして、記憶部８５には、第１の調整値として、第１ゲイン調整値、および、第１オフセット調整値が記憶され、また、第２の調整値として第２ゲイン調整値、および、第２オフセット調整値が記憶される。
この構成によれば、読取結果に基づいて生成されるデータの用途に応じて、ゲイン調整値、または、オフセット調整値を切替えることによって、画像データ出力部が出力する画像データの明度を調整することが可能となり、光学的なセンサーの読み取り結果に基づいて生成されるデータの状態を、当該データの用途に適したものとすることが可能となる。
なお、上述した実施形態では、第１の調整値には、第１ゲイン調整値、および、第１オフセット調整値の双方が含まれていたが、いずれか一方であってもよい。同様に、第２の調整値には、第２ゲイン調整値、および、第２オフセット調整値の双方が含まれていたが、いずれか一方であってもよい。
【００４７】
また、本実施形態に係る複合処理装置１は、イメージセンサー８６によるカラー読み取りと、白黒読み取り（グレースケール読み取り、モノクロ読み取り）が可能である。そして、制御部７０は、カラー読み取りする場合は、使用するゲイン調整値を第２のゲイン調整値に切替え、白黒読み取りする場合は、使用するゲイン調整値を第１のゲイン調整値に切替える。
この構成によれば、カラー読み取りか、白黒読み取りかによって想定される用途に応じて、光学的なセンサーの読み取り結果に基づいて生成されるデータの状態を、当該データの用途に適したものとすることが可能となる。
【００４８】
また、本実施形態では、制御部７０は、温度センサー８０が検出した温度に基づいて、使用するゲイン調整値を、第１のゲイン調整値、および、第２のゲイン調整のいずれかに切替える。
上記構成によれば、イメージセンサー８６駆動時の環境温度に応じて、読み取り結果に基づいて生成されるデータの状態を適切なものとすることが可能となる。
【００４９】
また、本実施形態では、記憶部８５には、第１の調整値（第１ゲイン調整値、第１オフセット調整値）と、発光部８７が１画素の読み取り時に光を照射する時間である第１照射時間との第１の組合せ、および、第２の調整値（第２ゲイン調整値、第２オフセット調整値）と、第２照射時間との第２の組合せ、が記憶される。そして、制御部７０は、調整値と照射時間の組合せについて、第１の組合せと、第２の組合せのいずれかに切替え可能である。
この構成によれば、調整値と、発光部８７の照射時間との組合せを切替えることが可能となり、光学的なセンサーの読み取り結果に基づいて生成されるデータの状態を、当該データの用途により適したものとすることが可能となる。
【００５０】
また、本実施形態に係る複合処理装置１は、ＣＩＳユニット制御回路８３（画像データ出力部）の出力に対して、白基準値、および、黒基準値に基づいてシェーディング補正するシェーディング補正部７０ｂを備えている。また、記憶部８５には、第１の調整値（第１ゲイン調整値、第１オフセット調整値）に対応する第１白基準値、および、第１黒基準値と、第２の調整値（第２ゲイン調整値、第２オフセット調整値）に対応する第２白基準値、および、第２黒基準値と、が記憶される。そして、制御部７０は、使用するゲイン調整値に応じて、使用する白基準値、および、黒基準値を切替える。
この構成によれば、調整値に応じて、使用する白基準値、および、黒基準値が適切に切替えられるため、シェーディング補正を的確に行なうことができる。
【００５１】
なお、上述した実施の形態は、あくまでも本発明の一態様を示すものであり、本発明の範囲内で任意に変形および応用が可能である。
図６のフローチャートにおいて、ステップＳＢ６の処理は行なわないようにしてもよい。すなわち、環境温度にかかわらず、白黒読み取りを行なう場合は、第１の組合せに係るパラメーターを使用し、一方、カラー読み取りを行なう場合は、第２の組合せに係るパラメーターを使用する構成であってもよい。逆に、どういった方法で読み取りを行なうかにかかわらず、環境温度によって、第１の組合せに係るパラメーターを使用するか、第２の組合せに係るパラメーターを使用するかを切替える構成であってもよい。
また例えば、図３、５に示す各機能ブロックはハードウェアとソフトウェアの協働により任意に実現可能であり、特定のハードウェア構成を示唆するものではない。また、複合処理装置１の各機能ブロックの機能を、当該装置に外部接続される別の装置に持たせるようにしてもよい。また、複合処理装置１は、外部接続される記憶媒体に記憶させたプログラムを実行することにより、各種動作を実行してもよい。
【符号の説明】
【００５２】
１…複合合処理装置（画像読取装置）、４…小切手（媒体）、５…ホストコンピューター、７０…制御部、７０ｂ…シェーディング補正部、８０…温度センサー、８３…ＣＩＳユニット制御回路（画像データ出力部）、８５…記憶部、８６…イメージセンサー（センサー）、８７…発光部、８８…受光部、９０…オフセット調整部、９１…ゲイン調整部、９２…Ａ／ＤＤ変換部。
【図１】
2014204413.tif 000003
【図２】
2014204413.tif 000004
【図３】
2014204413.tif 000005
【図４】
2014204413.tif 000006
【図５】
2014204413.tif 000007
【図６】
2014204413.tif 000008